(57)【要約】【課題】身の回りの防犯に関する情報を知らせることができるインターホンシステム等を提供する。【解決手段】インターホンシステム１０は、インターホン玄関装置２０のキー操作に関連する入力情報ｉ１を取得する取得部３０と、予め決められたキー操作と異なるキー操作に関連する入力情報ｉ１を取得部３０が取得した場合に、当該入力情報ｉ１に基づいた報告情報ｉ２を出力する出力部４０とを備える。【選択図】図２
2020005149.tif 000002
【特許請求の範囲】
【請求項１】
インターホン玄関装置のキー操作に関連する入力情報を取得する取得部と、
予め決められた前記キー操作と異なる前記キー操作に関連する入力情報を前記取得部が取得した場合に、当該入力情報に基づいた報告情報を出力する出力部と
を備えるインターホンシステム。
【請求項２】
前記出力部は、電気錠を解錠するための前記キー操作と異なる前記入力情報を前記取得部が取得した場合に、前記報告情報として前記電気錠の解錠に失敗したことを示す情報を出力する
請求項１に記載のインターホンシステム。
【請求項３】
前記報告情報は、前記インターホン玄関装置の前記キー操作を受け付けた時刻、および、前記電気錠の解錠に失敗したことが判明した時刻の少なくとも一方を含む
請求項２に記載のインターホンシステム。
【請求項４】
前記電気錠を解錠するためのパスワードは、インターホン親機が設置された複数の施設のうちの１以上の施設を特定する特定番号を含み、
前記出力部は、前記電気錠を解錠するパスワードと異なる前記入力情報を前記取得部が取得した場合に、前記パスワードに前記特定番号を含む前記１以上の施設のインターホン親機に対して前記報告情報を出力する
請求項２または３に記載のインターホンシステム。
【請求項５】
インターホン玄関装置のキー操作に関連する入力情報を取得する取得部と、
インターホン親機を呼び出すための前記キー操作に関連する入力情報を前記取得部が所定時間内に所定回数以上取得した場合に、当該入力情報に基づいた報告情報を出力する出力部と
を備えるインターホンシステム。
【請求項６】
さらに、前記インターホン玄関装置およびインターホン親機と通信する制御装置を備え、
前記取得部および前記出力部は、前記制御装置に設けられている
請求項１〜５のいずれか１項に記載のインターホンシステム。
【請求項７】
前記取得部および前記出力部は、前記インターホン玄関装置に設けられている
請求項１〜５のいずれか１項に記載のインターホンシステム。
【請求項８】
前記出力部は、インターホン親機に前記報告情報を出力する
請求項１〜７のいずれか１項に記載のインターホンシステム。
【請求項９】
前記インターホン玄関装置は、撮像部および収音部の少なくとも一方を備え、
前記取得部は、前記入力情報として、前記撮像部が撮像した画像および前記収音部が収音した音の少なくとも一方を取得する
請求項１〜８のいずれか１項に記載のインターホンシステム。
【請求項１０】
前記出力部は、前記取得部にて取得した前記画像および前記音の少なくとも一方が所定の条件を満たした場合に、所定の装置に所定の動作をさせるための信号を出力する
請求項９に記載のインターホンシステム。
【請求項１１】
表示部を備える情報端末であって、
前記表示部は、インターホン玄関装置のキー操作に関連する入力情報であって、予め決められた前記キー操作と異なる前記キー操作に関連する入力情報に基づいた報告情報を表示する
情報端末。
【請求項１２】
予め決められた前記キー操作と異なる前記入力情報が所定の条件を超えて入力された場合に、
前記表示部は、電気錠を解錠するためのパスワードの変更を通知する情報を表示する
請求項１１に記載の情報端末。
【請求項１３】
表示部を備える情報端末であって、
前記表示部は、インターホン玄関装置のキー操作に関連する入力情報であって、前記情報端末を呼び出すために所定時間内に所定回数以上入力された前記キー操作に関連する入力情報に基づいた報告情報を表示する
情報端末。
【請求項１４】
前記インターホン玄関装置に前記情報端末を呼び出すための前記キー操作が所定時間内に所定回数以上入力された場合に、
前記表示部は、前記所定時間および前記所定回数のうち少なくとも一方の変更を通知する情報を表示する
請求項１３に記載の情報端末。
【請求項１５】
前記表示部は、前記報告情報の履歴を表示する
請求項１１〜１４のいずれか１項に記載の情報端末。
【請求項１６】
表示部を備える情報端末に関する情報表示方法であって、
インターホン玄関装置のキー操作に関連する入力情報であって、予め決められた前記キー操作と異なる前記キー操作に関連する入力情報に基づいた報告情報を表示する
情報表示方法。
【請求項１７】
表示部を備える情報端末に関する情報表示方法であって、
インターホン玄関装置のキー操作に関連する入力情報であって、前記情報端末を呼び出すために所定時間内に所定回数以上入力された前記キー操作に関連する入力情報に基づいた報告情報を表示する
情報表示方法。
【請求項１８】
コンピュータにて実行されるプログラムであって、
請求項１６または１７に記載の情報表示方法を実行するプログラム。
【発明の詳細な説明】
【技術分野】
【０００１】
本発明は、インターホンシステム、当該インターホンシステムが備える情報端末、情報表示方法、ならびにプログラムに関する。
【背景技術】
【０００２】
特許文献１には、インターホン玄関装置（ロビーインターホン）、および、インターホン玄関装置と通信するインターホン親機（住居インターホン）を備えるインターホンシステムが開示されている。このインターホンシステムでは、インターホン玄関装置にて操作入力された番号がインターホン親機にて設定された暗証番号と一致する場合に、電気錠を解錠することで、インターホンシステムの防犯性を高めている。
【先行技術文献】
【特許文献】
【０００３】
【特許文献１】特開平７−２３６１８４号公報
【発明の概要】
【発明が解決しようとする課題】
【０００４】
例えばインターホンシステムが設置された集合施設に対して、玄関の電気錠を不正に解錠する者がいたり、インターホン玄関装置を使って何度も呼び出しを行う者がいたりする場合、集合施設内の居住者は、身の回りの防犯について不安を感じることがある。
【０００５】
本発明は、身の回りの防犯に関する情報を知らせることができるインターホンシステム等を提供する。
【課題を解決するための手段】
【０００６】
本発明の一態様に係るインターホンシステムは、インターホン玄関装置のキー操作に関連する入力情報を取得する取得部と、予め決められた前記キー操作と異なる前記キー操作に関連する入力情報を前記取得部が取得した場合に、当該入力情報に基づいた報告情報を出力する出力部とを備える。
【０００７】
本発明の一態様に係るインターホンシステムは、インターホン玄関装置のキー操作に関連する入力情報を取得する取得部と、インターホン親機を呼び出すための前記キー操作に関連する入力情報を前記取得部が所定時間内に所定回数以上取得した場合に、当該入力情報に基づいた報告情報を出力する出力部とを備える。
【０００８】
本発明の一態様に係る情報端末は、表示部を備える情報端末であって、前記表示部は、インターホン玄関装置のキー操作に関連する入力情報であって、予め決められた前記キー操作と異なる前記キー操作に関連する入力情報に基づいた報告情報を表示する。
【０００９】
本発明の一態様に係る情報端末は、表示部を備える情報端末であって、前記表示部は、インターホン玄関装置のキー操作に関連する入力情報であって、前記情報端末を呼び出すために所定時間内に所定回数以上入力された前記キー操作に関連する入力情報に基づいた報告情報を表示する。
【００１０】
本発明の一態様に係る情報表示方法は、表示部を備える情報端末に関する情報表示方法であって、インターホン玄関装置のキー操作に関連する入力情報であって、予め決められた前記キー操作と異なる前記キー操作に関連する入力情報に基づいた報告情報を表示する。
【００１１】
本発明の一態様に係る情報表示方法は、表示部を備える情報端末に関する情報表示方法であって、インターホン玄関装置のキー操作に関連する入力情報であって、前記情報端末を呼び出すために所定時間内に所定回数以上入力された前記キー操作に関連する入力情報に基づいた報告情報を表示する。
【００１２】
本発明の一態様に係るプログラムは、コンピュータにて実行されるプログラムであって、上記情報表示方法を実行する。
【発明の効果】
【００１３】
本発明のインターホンシステム等によれば、身の回りの防犯に関する情報を知らせることができる。
【図面の簡単な説明】
【００１４】
【図１】実施の形態１に係るインターホンシステムを示す模式図である。
【図２】実施の形態１に係るインターホンシステムの機能構成を示すブロック図である。
【図３】実施の形態１に係るインターホン玄関装置の設置例を示す模式図である。
【図４】実施の形態１に係るインターホン玄関装置の正面図である。
【図５】実施の形態１に係るインターホンシステムのキー操作および入力情報を示す図である。
【図６】実施の形態１に係るインターホンシステムの報告情報を示す図である。
【図７】実施の形態１に係るインターホン親機の正面図である。
【図８】実施の形態１に係るインターホンシステムの動作を示すフローチャートである。
【図９】実施の形態１に係るインターホン親機に表示される画面の一例を示す図である。
【図１０】実施の形態１の変形例１に係るインターホンシステムのキー操作および入力情報を示す図である。
【図１１】実施の形態１の変形例１に係るインターホンシステムの報告情報を示す図である。
【図１２】実施の形態１の変形例１に係るインターホンシステムの動作を示すフローチャートである。
【図１３】実施の形態１の変形例１に係るインターホン親機に表示される画面の一例を示す図である。
【図１４】実施の形態２に係るインターホンシステムを示す模式図である。
【図１５】実施の形態２に係るインターホンシステムの機能構成を示すブロック図である。
【図１６】その他の実施の形態に係るインターホンシステムを示す模式図である。
【図１７】その他の実施の形態に係るインターホンシステムの監視装置を示す図である。
【発明を実施するための形態】
【００１５】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１６】
なお、各図は模式図であり、必ずしも厳密に図示されたものではない。また、各図において、実質的に同一の構成に対しては同一の符号を付し、重複する説明は省略または簡略化される場合がある。
【００１７】
（実施の形態１）
以下、本実施の形態に係るインターホンシステム等について、図１〜図９を参照しながら説明する。
【００１８】
［１．インターホンシステムの構成］
まず、本実施の形態に係るインターホンシステムの全体構成について、図１および図２を参照しながら説明する。
【００１９】
図１は、本実施の形態に係るインターホンシステム１０を示す模式図である。図２は、インターホンシステム１０の機能構成を示すブロック図である。
【００２０】
図１および図２に示すように、インターホンシステム１０は、集合施設Ｈ１に設けられている。集合施設Ｈ１は、住居またはオフィスなどの複数の施設１０１、２０１、３０１および共用スペースの一例である玄関１００などを備えている。
【００２１】
インターホンシステム１０は、インターホン玄関装置２０と、制御装置５０と、複数のインターホン親機６０ａ、６０ｂ、６０ｃと、複数のインターホン子機７０ａ、７０ｂ、７０ｃとを備えている。
【００２２】
各インターホン親機６０ａ〜６０ｃは、各施設１０１〜３０１内に設置されている。各インターホン子機７０ａ〜７０ｃは、ドアホンであり、各施設１０１〜３０１の玄関に設置されている。例えば、インターホン子機７０aは、インターホン親機６０ａに直接接続され、インターホン親機６０ａと通信可能である。図１および図２では、インターホン親機６０ａ〜６０ｃおよびインターホン子機７０ａ〜７０ｃが３組だけ図示されているが、インターホンシステム１０は、実際には、集合施設Ｈ１内の施設数に応じて複数組のインターホン親機およびインターホン子機を備える。以下では、複数のインターホン親機６０ａ〜６０ｃのうち、インターホン親機６０ａを代表例に挙げて説明する。
【００２３】
次に、インターホンシステム１０の各構成について説明する。まず、インターホン玄関装置２０について、図２〜図４を参照しながら説明する。
【００２４】
図３は、インターホン玄関装置２０の設置例を示す模式図である。図４は、インターホン玄関装置２０の正面図である。
【００２５】
インターホン玄関装置２０は、例えばロビーインターホンであり、図３に示すように集合施設Ｈ１の玄関１００に設置されている。玄関１００は、壁１１０と、訪問者が外部から玄関１００に入るためのドアである入口ドア１２０と、玄関１００から各居住エリアへの立ち入りを制限するドアであるオートロックドア１３０とにより構成される。オートロックドア１３０は、電気錠を有し、インターホン玄関装置２０に電気錠を解錠するパスワードが入力されることでドアが開くしくみになっている。
【００２６】
図２および図４に示すように、インターホン玄関装置２０は、操作受付部２１と、撮像部２２と、センサ部２３と、表示部２４と、通話部２５と、制御部２６と、通信部２７と、記憶部２８とを備える。
【００２７】
操作受付部２１は、訪問者のキー操作を受け付けるユーザインターフェースであり、玄関１００の電気錠を解錠するための解錠操作を受け付けたり、インターホン親機６０ａを呼び出すための呼出操作を受け付けたりする。操作受付部２１は、タッチパネルまたはハードウェアボタン（例えば、テンキー）などによって実現される。
【００２８】
撮像部２２は、訪問者の画像を撮像する。本実施の形態では、撮像部２２は、訪問者が操作受付部２１に誤ったキー操作を行った場合に、撮像部２２の前にいる訪問者を撮像する。撮像部２２は、ＣＭＯＳイメージセンサまたはＣＣＤイメージセンサを備えるカメラによって実現される。
【００２９】
センサ部２３は、訪問者がインターホン玄関装置２０に近づいたことを検知する。前述した撮像部２２は、操作受付部２１が誤ったキー操作を受け付けときに撮像を開始するが、それに限られず、センサ部２３が訪問者を検知したときに撮像を開始してもよい。センサ部２３は、赤外線（熱線）または超音波を用いた人感センサなどによって実現される。
【００３０】
表示部２４は、撮像部２２によって撮像された画像などを表示する。表示部２４は、液晶パネルまたは有機ＥＬパネルなどによって実現される。
【００３１】
通話部２５は、インターホン親機６０ａを介して居住者と通話するための装置である。通話部２５は、訪問者のまわりの音を収音する収音部２５ａ、および、インターホン親機６０ａから送信された信号を音として出音する出音部２５ｂを有する。本実施の形態では、収音部２５ａは、訪問者が操作受付部２１に誤ったキー操作を行った場合に、収音部２５ａの前にいる訪問者に関する音を収音する。収音部２５ａは、例えば、マイクロフォンなどにより実現される。また、出音部２５ｂは、例えば、スピーカなどにより実現される。
【００３２】
制御部２６は、インターホン玄関装置２０が備える各種構成要素を制御する。制御部２６は、操作受付部２１を介して呼出操作を受け付けた場合に、呼出操作によって特定される施設に設けられたインターホン親機を作動するための作動指令を出力する。また、制御部２６は、操作受付部２１を介して解錠操作を受け付けた場合に、電気錠を解錠するための作動指令を出力する。
【００３３】
電気錠を解錠するためのパスワードは、例えば、特定番号および共用番号を含んでいる。特定番号は、インターホン親機６０ａ〜６０ｃが設置された複数の施設１０１〜３０１のうちの１以上の施設を特定する番号である。共用番号は、複数の施設１０１〜３０１で共用される４桁以上の数字である。例えば、施設１０１の特定番号が１０１であり、共用番号が１２３４である場合、パスワードは１０１１２３４となる。
【００３４】
本実施の形態の制御部２６は、操作受付部２１がキー操作を受け付けた場合に、制御装置５０に対して、キー操作に関連する入力情報ｉ１を出力する。キー操作には、正しいキー操作と誤った操作とがあるが、以下では誤ったキー操作に関する入力情報ｉ１を中心に説明する。誤ったキー操作に関連する入力情報ｉ１には、例えば、操作受付部２１が予め決められたキー操作と異なるキー操作を受けたという事実、操作受付部２１にて実際に受け付けた数字（番号）、および、キー操作を受け付けた時刻などの情報が含まれる。この入力情報ｉ１については、後でもう一度説明する。
【００３５】
なお、制御部２６は、キー操作を受け付けた時刻等の情報を出力するため、現在の年月日を計時するリアルタイムクロック機能を有している。制御部２６は、例えば、マイクロコンピュータまたはプロセッサによって実現される。
【００３６】
記憶部２８は、制御部２６が実行する制御プログラムが記憶される記憶装置である。記憶部２８には、各施設１０１〜３０１に対応する特定番号、および、電気錠を解錠するためのパスワードが記憶されている。記憶部２８は、例えば、半導体メモリなどによって実現される。
【００３７】
通信部２７は、制御部２６の指示に基づいて、解錠操作および呼出操作に関する作動指令を送信する。解錠操作に関する作動指令は、オートロックドア１３０あてに送信され、呼出操作に関する作動指令は、インターホン親機６０ａあてに送信される。また、通信部２７は、キー操作に関連する入力情報ｉ１を制御装置５０あてに送信する。通信部２７は、例えば、通信回路によって実現される。
【００３８】
次に、制御装置５０について図２および図５を参照しながら説明する。
【００３９】
図２に示すように制御装置５０は、インターホン玄関装置２０およびインターホン親機６０ａ〜６０ｃに接続され、インターホン玄関装置２０とインターホン親機６０ａ〜６０ｃとを通信可能としている。制御装置５０は、例えば、通信部５１と、制御部５２と、記憶部５３とを備える。また、制御部５２は、インターホン玄関装置２０のキー操作に関連する入力情報ｉ１を取得する取得部３０と、入力情報ｉ１に基づいた報告情報ｉ２を出力する出力部４０とを備えている。
【００４０】
ここで、インターホン玄関装置２０のキー操作と、キー操作に関連する入力情報ｉ１と、入力情報ｉ１に基づいた報告情報ｉ２とについて説明する。
【００４１】
図５は、インターホンシステム１０のキー操作および入力情報ｉ１の一例を示す図である。図６は、インターホンシステム１０の報告情報ｉ２の一例を示す図である。
【００４２】
図５の（ａ）には、電気錠を解錠するために予め決められたキー操作の一例が示されている。予め決められたキー操作は、画一的に決められたキー操作に限られず、設定等によって決められたキー操作であってもよいし、学習機能等によって定期的または不定期的に変更されるキー操作であってもよい。この図には、予め決められたキー操作として、施設１０１の特定番号「１０１」と、施設１０１〜３０１の共用番号「１２３４」と、実行キーである「解錠」とが順に入力される例が示されている。なお、キー操作が一致しているか異なるかは、特定番号、共用番号および実行キーの操作順も含めて判断される。
【００４３】
図５の（ｂ）には、訪問者によって入力された異なるキー操作の一例が示されている。この図には、予め決められたキー操作と異なるキー操作として、特定番号「１０１」と共用番号「５６７９」と実行キー「解錠」とが順に入力された例が示されている。
【００４４】
図５の（ｃ）には、予め決められたキー操作に関する入力情報ｉ１の一例が示されている。この図には、正常な操作として、キー操作を受け付けた時刻およびキー操作によって解錠に成功したことが示されている。
【００４５】
図５の（ｄ）には、予め決められたキー操作と異なるキー操作に関連する入力情報ｉ１が示されている。制御装置５０の取得部３０は、例えばインターホン玄関装置２０に対して誤ったキー操作が行われた場合、インターホン玄関装置２０から、上記異なるキー操作に関連する入力情報ｉ１を取得する。入力情報ｉ１には、操作受付部２１にてキー操作を受け付けた時刻、キー操作によって解錠に失敗した事実、および、操作受付部２１にて実際に受け付けた数字などの情報が含まれる。なお、入力情報ｉ１には、撮像部２２が撮像した訪問者の画像情報および収音部２５ａが収音した訪問者に関する音情報が含まれていてもよい。また、入力情報ｉ１には、キー操作を受け付けた時刻の他に、電気錠の解錠に失敗したことが判明した時刻が含まれていてもよい。
【００４６】
本実施の形態では、これら図５の（ｃ）および（ｄ）に示す入力情報ｉ１が、インターホン玄関装置２０から制御装置５０に送信され、制御装置５０の取得部３０に取得される。制御部５２は、これら入力情報ｉ１をもとに、予め決められたキー操作と異なるキー操作に関連する入力情報ｉ１を取得部３０が取得したか否かを判断する。そして、制御部５２は、上記異なるキー操作に関連する入力情報ｉ１を取得部３０が取得したと判断した場合に、出力部４０を用いて当該入力情報ｉ１に基づく報告情報ｉ２を出力する。
【００４７】
具体的に出力部４０は、電気錠を解錠するパスワードと異なる入力情報ｉ１を取得部３０が取得した場合に、パスワードに特定番号を含む１以上の施設のインターホン親機に対して報告情報ｉ２を出力する。例えば、特定番号として１０１が含まれている場合、出力部４０は、施設１０１に対応するインターホン親機６０ａあてに報告情報ｉ２を出力する。
【００４８】
図６には、入力情報ｉ１に基づいた報告情報ｉ２が示されている。報告情報ｉ２には、例えば、操作受付部２１にてキー操作を受け付けた時刻、キー操作によって解錠に失敗した事実、および、操作受付部２１にて実際に受け付けた数字などの情報が含まれている。また、報告情報ｉ２には、撮像部２２が撮像した訪問者の画像情報および収音部２５ａが収音した訪問者に関する音情報が含まれている。なお、報告情報ｉ２には、キー操作を受け付けた時刻の他に、電気錠の解錠に失敗したことが判明した時刻が含まれていてもよい。
【００４９】
また、出力部４０は、取得部３０にて取得した画像および音の少なくとも一方が所定の条件を満たした場合に、所定の装置に所定の動作をさせるための信号を出力してもよい。ここで所定の条件を満たす場合とは、取得した画像または音に関する情報が、例えば、不審の可能性があるとして記憶部５３に予め記録されている者の顔または声に一致する場合である。また所定の装置とは、例えばインターホン親機６０ａ、または、制御装置５０に接続される監視装置（図示省略）である。なお、制御装置５０に外部のセキュリティシステムが接続されている場合は、セキュリティシステムが所定の装置に該当する。所定の動作とは、例えば、これらインターホン親機６０ａ、監視装置またはセキュリティシステムに対して、警報情報を表示させることである。また所定の動作とは、インターホン親機６０ａ〜６０ｃに対して、これ以上呼び出しを受け付けないように指示することである。
【００５０】
記憶部５３は、制御部５２が実行する制御プログラムが記憶される記憶装置である。記憶部５３は、例えば、半導体メモリによって実現される。記憶部５３には、各施設１０１〜３０１に対応する特定番号、および、電気錠を解錠するためのパスワード、および、予め決められたキー操作が記憶されている。また、記憶部５３には、入力情報ｉ１および報告情報ｉ２が記憶されてもよい。
【００５１】
通信部５１は、インターホン玄関装置２０から送信された呼出操作に関する作動指令を受信すると、この作動指令を呼出操作に対応するインターホン親機に送信する。また、通信部５１は、出力部４０から報告情報ｉ２が出力されると、この報告情報ｉ２を特定番号に対応するインターホン親機に送信する。通信部５１は、例えば、通信回路によって実現される。
【００５２】
次に、インターホン親機６０ａについて、図２および図７を参照しながら説明する。なお、インターホン親機６０ａは、情報端末の一例である。
【００５３】
図７は、インターホン親機６０ａの正面図である。
【００５４】
図７に示すように、インターホン親機６０ａは、通信部６１と、制御部６２と、表示部６３と、通話部６４と、入力受付部６５と、記憶部６６とを備える。
【００５５】
通信部６１は、制御装置５０から送信された作動指令または報告情報ｉ２を受信する。通信部６１は、例えば、通信回路によって実現される。
【００５６】
記憶部６６は、制御部６２が実行する制御プログラムが記憶される記憶装置である。記憶部６６には、通信部６１によって受信された報告情報ｉ２の履歴（ログ情報）が記憶されてもよい。記憶部６６は、半導体メモリなどによって実現される。
【００５７】
入力受付部６５は、呼出操作を行った訪問者に応答するための操作を受け付けるユーザインターフェースである。入力受付部６５は、タッチパネルまたはハードウェアボタンなどによって実現される。
【００５８】
制御部６２は、通信部６１を介して受け付けた報告情報ｉ２に基づいて、出音部６４ｂに呼出音を出音させる。また、制御部６２は、通信部６１を介して受け付けた報告情報ｉ２に基づいて、表示部６３に報告情報ｉ２を表示させる。また、制御部６２は、入力受付部６５の入力に応じて、報告情報ｉ２を表示部６３に表示させたり、表示させなかったりしてもよい。制御部６２は、例えば、マイクロコンピュータまたはプロセッサによって実現される。
【００５９】
通話部６４は、インターホン玄関装置２０を介して、呼出操作を行った訪問者と通話するための装置である。通話部６４は、居住者が発する音を収音する収音部６４ａ、および、制御装置５０を介してインターホン玄関装置２０から送信された信号を音として出音する出音部６４ｂを有する。また本実施の形態の出音部６４ｂは、制御装置５０から送信された報告情報ｉ２に含まれる訪問者に関する音を出音する。収音部６４ａは、例えば、マイクロフォンなどにより実現される。また、出音部６４ｂは、例えば、スピーカなどにより実現される。
【００６０】
表示部６３は、例えば液晶パネルまたは有機ＥＬパネルなどによって実現される。表示部６３は、制御装置５０から送信された報告情報ｉ２を表示する。また、表示部６３は、記憶部６６に記憶された報告情報ｉ２の履歴を表示する。この表示部６３の表示により、居住者は、インターホン玄関装置２０に対して誤ったキー操作が行われたか否かを知ることができる。このようにインターホンシステム１０は、身の回りの防犯に関する情報を知らせることができる。
【００６１】
［２．インターホンシステムの動作］
次に、インターホンシステム１０の動作について、図８および図９を参照しながら説明する。ここでは、インターホンシステム１０のインターホン玄関装置２０が、誤ったキー操作を受け付けた場合を中心に説明する。
【００６２】
図８は、インターホンシステム１０の動作の一例を示すフローチャートである。
【００６３】
まず、インターホン玄関装置２０は、操作受付部２１を介してキー操作を受け付ける（Ｓ１１）。ここで、インターホン玄関装置２０は、予め決められたキー操作と異なるキー操作を受け付けると、撮像部２２による撮像および収音部２５ａによる収音を開始する。予め決められたキー操作と異なるキー操作は、玄関１００の電気錠を解錠するためのキー操作と異なるキー操作である。なお、インターホン玄関装置２０は、操作受付部２１が誤ったキー操作を受け付けたことをトリガとして、撮像および収音を開始してもよいし、センサ部２３が人を検知したことをトリガとして、撮像および収音を開始してもよい。
【００６４】
次に、インターホン玄関装置２０は、ステップＳ１１にて受け付けた上記異なるキー操作に関連する入力情報ｉ１を制御装置５０に出力する（Ｓ１２）。この入力情報ｉ１には、キー操作だけでなく、キー操作を受け付けた時刻や、実際のキー操作で受け付けた数字、撮像部２２によって撮像された画像情報および収音部２５ａによって収音された音情報が含まれていてもよい。
【００６５】
次に、制御装置５０は、インターホン玄関装置２０から送信された入力情報ｉ１を取得する（Ｓ２１）。
【００６６】
そして制御装置５０は、入力情報ｉ１に含まれるキー操作の情報として、キー操作が予め決められたキー操作と異なるか否かを判断する（Ｓ２２）。ステップＳ２２で、入力情報ｉ１に含まれるキー操作が予め決められたキー操作と同じであると判断された場合は（Ｓ２２のＮ）、このフローでは以降のステップに進まず、次の入力情報ｉ１が取得されるまで待機する。一方、ステップＳ２２で、入力情報ｉ１に含まれるキー操作が予め決められたキー操作と異なると判断された場合（Ｓ２２のＹ）、制御装置５０の出力部４０は、入力情報ｉ１に基づいた報告情報ｉ２をインターホン親機６０ａに出力する（Ｓ２３）。
【００６７】
インターホン親機６０ａは、制御装置５０からの報告情報ｉ２を取得する（Ｓ３１）。そして、取得した報告情報ｉ２を表示部６３に表示する（Ｓ３２）。また、インターホン親機６０ａは、報告情報ｉ２を記憶部６６に保存した後、例えば入力受付部６５からの入力に応じて記憶部６６に保存された報告情報ｉ２の履歴を表示する。これによれば、インターホン親機６０ａに報告情報ｉ２の履歴が残されるので、居住者は報告情報ｉ２を後から確認することができる。
【００６８】
また、インターホン親機６０ａは、予め決められたキー操作と異なるキー操作に関する入力情報ｉ１が、所定の条件を超えて入力された場合に、以下の表示を行ってもよい。
【００６９】
図９は、インターホン親機６０ａに表示される画面の一例を示す図である。
【００７０】
図９に示すように、インターホン親機６０ａの表示部６３は、電気錠を解錠するためのパスワードの変更を通知する情報を表示してもよい。なお、所定の条件とは、例えば所定の回数である。本実施の形態のインターホンシステム１０では、例えば、上記異なるキー操作が３回を超えて入力された場合に、表示部６３にパスワードの変更を通知する情報が表示される。この表示に基づき居住者がパスワードを変更することで、居住者は自身の防犯に関する不安を抑えることができる。
【００７１】
［３．効果など］
以上説明したように、本実施の形態に係るインターホンシステム１０は、インターホン玄関装置２０のキー操作に関連する入力情報ｉ１を取得する取得部３０と、予め決められたキー操作と異なるキー操作に関連する入力情報ｉ１を取得部３０が取得した場合に、当該入力情報ｉ１に基づいた報告情報ｉ２を出力する出力部４０とを備える。
【００７２】
このように、当該入力情報ｉ１に基づいた報告情報ｉ２が出力されることで、居住者は、インターホン玄関装置２０に対して予め決められたキー操作と異なるキー操作が行われたか否かを知ることができる。すなわち、このインターホンシステム１０によれば、身の回りの防犯に関する情報を知らせることができる。
【００７３】
また、出力部４０は、電気錠を解錠するためのキー操作と異なる入力情報ｉ１を取得部３０が取得した場合に、報告情報ｉ２として電気錠の解錠に失敗したことを示す情報を出力してもよい。
【００７４】
このように、電気錠の解錠に失敗したことを示す報告情報ｉ２が出力されることで、居住者は、インターホン玄関装置２０に対して電気錠の解錠に失敗したキー操作が行われたか否かを知ることができる。このインターホンシステム１０によれば、身の回りの防犯に関する情報を知らせることができる。
【００７５】
また、報告情報ｉ２は、インターホン玄関装置２０のキー操作を受け付けた時刻、および、電気錠の解錠に失敗したことが判明した時刻の少なくとも一方を含んでいてもよい。
【００７６】
これによれば、居住者は、予め決められたキー操作と異なるキー操作を受けた時刻、または、電気錠の解錠に失敗した時刻かを知ることができる。このインターホンシステム１０によれば、身の回りの防犯に関する情報を知らせることができる。
【００７７】
また、電気錠を解錠するためのパスワードは、インターホン親機６０ａ〜６０ｃが設置された複数の施設のうちの１以上の施設を特定する特定番号を含み、出力部４０は、電気錠を解錠するパスワードと異なる入力情報ｉ１を取得部３０が取得した場合に、パスワードに特定番号を含む１以上の施設のインターホン親機に対して報告情報ｉ２を出力してもよい。
【００７８】
これによれば、パスワードに特定番号を含む施設の居住者は、インターホン玄関装置２０に対して電気錠の解錠に失敗したキー操作が行われたか否かを知ることができる。このインターホンシステム１０によれば、身の回りの防犯に関する情報を知らせることができる。
【００７９】
また、さらに、インターホン玄関装置２０およびインターホン親機６０ａ〜６０ｃと通信する制御装置５０を備え、取得部３０および出力部４０は、制御装置５０に設けられていてもよい。
【００８０】
これによれば、居住者は、制御装置５０から出力される報告情報ｉ２に基づいて、インターホン玄関装置２０に対して予め決められたキー操作と異なるキー操作が行われたか否かを知ることができる。このインターホンシステム１０によれば、身の回りの防犯に関する情報を知らせることができる。
【００８１】
また、出力部４０は、インターホン親機６０ａ〜６０ｃに報告情報を出力してもよい。
【００８２】
これによれば、インターホン親機６０ａ〜６０ｃが設定されている各施設の居住者は、インターホン親機６０ａに出力された報告情報ｉ２に基づいて、インターホン玄関装置２０に対して予め決められたキー操作と異なるキー操作が行われたか否かを知ることができる。このインターホンシステム１０によれば、身の回りの防犯に関する情報を知らせることができる。
【００８３】
また、インターホン玄関装置２０は、撮像部２２および収音部２５ａの少なくとも一方を備え、取得部３０は、入力情報ｉ１として、撮像部２２が撮像した画像および収音部２５ａが収音した音の少なくとも一方を取得してもよい。
【００８４】
これによれば、入力情報ｉ１の情報量を増やし、確度の高い情報を知らせることができる。
【００８５】
また、出力部４０は、取得部３０にて取得した画像および音の少なくとも一方が所定の条件を満たした場合に、所定の装置に所定の動作をさせるための信号を出力してもよい。
【００８６】
これによれば、取得部３０に取得した画像または音を用いて、居住者の防犯に関する不安を取り除く策を講じることができる。
【００８７】
また、本実施の形態に係る情報端末６０ａは、表示部６３を備え、表示部６３は、インターホン玄関装置２０のキー操作に関連する入力情報ｉ１であって、予め決められたキー操作と異なるキー操作に関連する入力情報ｉ１に基づいた報告情報ｉ２を表示する。
【００８８】
このように、上記入力情報ｉ１に基づいた報告情報ｉ２が情報端末６０ａの表示部６３に表示されることで、居住者は、インターホン玄関装置２０に対して予め決められたキー操作と異なるキー操作が行われたか否かを知ることができる。すなわち、この情報端末６０ａの表示により、身の回りの防犯に関する情報を知らせることができる。
【００８９】
また、予め決められたキー操作と異なる入力情報ｉ１が所定の条件を超えて入力された場合に、情報端末６０ａの表示部６３は、電気錠を解錠するためのパスワードの変更を通知する情報を表示してもよい。
【００９０】
この表示部６３の表示に基づいて、例えば居住者がパスワードを変更することで、居住者は自身の防犯に関する不安を少なくすることができる。
【００９１】
また、表示部６３は、報告情報ｉ２の履歴を表示してもよい。
【００９２】
このように報告情報ｉ２の履歴が情報端末６０ａの表示部６３に表示されることで、居住者は、インターホン玄関装置２０に対して予め決められたキー操作と異なるキー操作が行われたか否かの履歴を知ることができる。この情報端末６０ａの履歴表示により、身の回りの防犯に関する情報の変化を知らせることができる。なお、表示部６３に表示される報告情報ｉ２の履歴は、必ずしも情報端末６０ａの記憶部６６に記憶されていなくてもよい。報告情報ｉ２の履歴は、インターホン玄関装置２０または制御装置５０に記憶されていてもよい。
【００９３】
また、本実施の形態に係る情報表示方法は、表示部６３を備える情報端末に関する情報表示方法である。この情報表示方法は、インターホン玄関装置２０のキー操作に関連する入力情報ｉ１であって、予め決められたキー操作と異なるキー操作に関連する入力情報ｉ１に基づいた報告情報ｉ２を表示する。
【００９４】
このように、上記入力情報ｉ１に基づいた報告情報ｉ２が表示されることで、居住者は、インターホン玄関装置２０に対して予め決められたキー操作と異なるキー操作が行われたか否かを知ることができる。すなわちこの表示により、身の回りの防犯に関する情報を知らせることができる。
【００９５】
また、本実施の形態に係るプログラムは、コンピュータにて実行されるプログラムであって、上記情報表示方法を実行する。
【００９６】
このプログラムによれば、居住者は、インターホン玄関装置２０に対して予め決められたキー操作と異なるキー操作が行われたか否かを知ることができる。すなわちこのプログラムにより、身の回りの防犯に関する情報を知らせることができる。
【００９７】
［４．実施の形態１の変形例］
次に、実施の形態１の変形例に係るインターホンシステム１０について説明する。変形例では、インターホン親機６０ａ〜６０ｃを何度も呼び出すような操作が行われる例について説明する。
【００９８】
変形例の制御装置５０も、インターホン玄関装置２０およびインターホン親機６０ａ〜６０ｃに接続され、インターホン玄関装置２０とインターホン親機６０ａ〜６０ｃとを通信可能としている。変形例の制御装置５０も、例えば、通信部５１と、制御部５２と、記憶部５３とを備える。また、制御部５２は、インターホン玄関装置２０のキー操作に関連する入力情報ｉ１を取得する取得部３０と、入力情報ｉ１に基づいた報告情報ｉ２を出力する出力部４０とを備えている。なお、インターホン親機６０ａ〜６０ｃのそれぞれは、情報端末の一例である。
【００９９】
ここで、変形例におけるインターホン玄関装置２０のキー操作と、キー操作に関連する入力情報ｉ１と、入力情報ｉ１に基づいた報告情報ｉ２とについて説明する。
【０１００】
図１０は、変形例に係るインターホンシステム１０のキー操作および入力情報ｉ１の一例を示す図である。図１１は、インターホンシステム１０の報告情報ｉ２の一例を示す図である。
【０１０１】
図１０の（ａ）には、インターホン親機６０ａ〜６０ｃを呼び出すためのキー操作の一例が示されている。この図には、施設１０１の特定番号「１０１」と実行キーである「解錠」、施設２０１の特定番号「２０１」と実行キーである「解錠」、および、施設３０１の特定番号「３０１」と実行キーである「解錠」が順に入力される例が示されている。本変形例では、このような複数回にわたるキー操作が所定時間内に所定回数以上実行される。なお、所定時間は例えば１５秒であり、所定回数は例えば５回である。
【０１０２】
図１０の（ｂ）には、複数回にわたるキー操作に関連する入力情報ｉ１が示されている。制御装置５０の取得部３０は、例えばインターホン玄関装置２０に対して複数回にわたるキー操作が行われた場合、インターホン玄関装置２０から、上記複数回にわたるキー操作に関連する入力情報ｉ１を取得する。入力情報ｉ１には、操作受付部２１にてキー操作を受け付けた時刻、呼び出しを行った施設番号、および、呼び出しに対してインターホン親機６０ａ〜６０ｃから応答があったか否かなどの情報が含まれている。なお、入力情報ｉ１には、撮像部２２が撮像した訪問者の画像情報および収音部２５ａが収音した訪問者に関する音情報が含まれていてもよい。
【０１０３】
本変形例では、これら図１０の（ｂ）に示す入力情報ｉ１が、インターホン玄関装置２０から制御装置５０に送信され、制御装置５０の取得部３０に取得される。制御部５２は、これら入力情報ｉ１に基づいて、複数回にわたるキー操作に関連する入力情報ｉ１を取得部３０が取得したか否かを判断する。そして、制御部５２は、上記複数回にわたるキー操作に関連する入力情報ｉ１を取得部３０が取得したと判断した場合に、出力部４０を用いて当該入力情報ｉ１に基づく報告情報ｉ２を出力する。
【０１０４】
図１１には、入力情報ｉ１に基づいた報告情報ｉ２が示されている。報告情報ｉ２には、例えば、操作受付部２１にてキー操作を受け付けた時刻、呼び出しを行った施設番号、および、呼び出しに対してインターホン親機６０ａ〜６０ｃから応答があったか否かなどの情報が含まれている。また、報告情報ｉ２には、撮像部２２が撮像した訪問者の画像情報および収音部２５ａが収音した訪問者に関する音情報が含まれている。
【０１０５】
また、出力部４０は、取得部３０にて取得した画像および音の少なくとも一方が所定の条件を満たした場合に、所定の装置に所定の動作をさせるための信号を出力してもよい。ここで所定の条件を満たす場合とは、取得した画像または音に関する情報が、例えば、不審の可能性があるとして記憶部５３に予め記録されている者の顔または声に一致する場合である。また所定の装置とは、制御装置５０に接続される監視装置である。また、制御装置５０に外部のセキュリティシステムが接続されている場合は、セキュリティシステムが所定の装置に該当する。所定の動作とは、例えば、監視装置またはセキュリティシステムに対して、警報情報を表示させることである。
【０１０６】
記憶部５３は、制御部５２が実行する制御プログラムが記憶される記憶装置である。記憶部５３には、各施設１０１〜３０１に対応する特定番号、および、取得部３０が複数回の入力情報ｉ１（キー操作）を取得する場合に許容される所定時間の長さおよび所定回数が記憶されている。また、記憶部５３には、入力情報ｉ１および報告情報ｉ２が記憶されてもよい。
【０１０７】
通信部５１は、出力部４０から報告情報ｉ２が出力されると、この報告情報ｉ２を監視装置またはセキュリティシステムに送信する。また、監視装置またはセキュリティシステムは、送信された報告情報ｉ２を記憶し、記憶された報告情報ｉ２の履歴を表示する。この表示により、監視者または警備員は、インターホン玄関装置２０に対して複数回にわたるキー操作が行われたか否かを知ることができる。このインターホンシステム１０によれば、身の回りの防犯に関する情報を監視者または警備員を通じて知らせることができる。
【０１０８】
次に、変形例に係るインターホンシステム１０の動作について、図１２および図１３を参照しながら説明する。なお、本実施の形態では、インターホンシステム１０のインターホン玄関装置２０が、複数回にわたるキー操作を受けた場合を中心に説明する。
【０１０９】
図１２は、変形例に係るインターホンシステム１０の動作の一例を示すフローチャートである。
【０１１０】
まず、インターホン玄関装置２０は、操作受付部２１を介してキー操作を受け付ける（Ｓ１１）。ここで、インターホン玄関装置２０は、複数回にわたるキー操作を受け付けると、撮像部２２による撮像および収音部２５ａによる収音を開始する。複数回にわたるキー操作とは、各施設の特定番号が所定時間内に所定回数以上入力されるキー操作である。インターホン玄関装置２０は、操作受付部２１が１回目のキー操作を受け付けたことをトリガとして、撮像および収音を開始してもよいし、センサ部２３が人を検知したことをトリガとして、撮像および収音を開始してもよい。
【０１１１】
次に、インターホン玄関装置２０は、ステップＳ１１にて受け付けた上記複数回にわたるキー操作に関連する入力情報ｉ１を制御装置５０に出力する（Ｓ１２）。この入力情報ｉ１には、操作受付部２１にて受け付けた数字だけでなく、キー操作を受け付けた時刻、呼び出しに応答があったか否か、または、撮像部２２によって撮像された画像情報および収音部２５ａによって収音された音情報が含まれていてもよい。
【０１１２】
次に、制御装置５０は、インターホン玄関装置２０から送信された入力情報ｉ１を取得する（Ｓ２１）。
【０１１３】
そこで制御装置５０は、入力情報ｉ１に含まれるキー操作の情報として、キー操作が所定時間内に所定回数以上であるか否かを判断する（Ｓ２２）。ステップＳ２２で、入力情報ｉ１に含まれるキー操作が所定回数未満であると判断された場合は（Ｓ２２のＮ）、このフローでは以降のステップに進まず、次の入力情報ｉ１が取得されるまで待機する。一方、ステップＳ２２で、入力情報ｉ１に含まれるキー操作が所定回数以上である判断された場合（Ｓ２２のＹ）、制御装置５０の出力部４０は、入力情報ｉ１に基づいた報告情報ｉ２をインターホン親機６０ａに出力する（Ｓ２３）。
【０１１４】
インターホン親機６０ａは、制御装置５０からの報告情報ｉ２を取得する（Ｓ３１）。そして、取得した報告情報ｉ２を表示部６３に表示する（Ｓ３２）。また、インターホン親機６０ａは、報告情報ｉ２を記憶部６６に保存した後、例えば入力受付部６５からの入力に応じて記憶部６６に保存された報告情報ｉ２の履歴を表示する。これによれば、インターホン親機６０ａに報告情報ｉ２の履歴が残されるので、居住者は報告情報ｉ２を後から確認することができる。
【０１１５】
また、インターホン親機６０ａは、複数回にわたるキー操作に関する入力情報ｉ１が、所定の条件を超えて入力された場合に、以下の表示を行ってもよい。
【０１１６】
図１３は、インターホン親機６０ａに表示される画面の一例を示す図である。
【０１１７】
図１３に示すように、インターホン親機６０ａの表示部６３は、インターホン玄関装置２０の所定時間および所定回数のうち少なくとも一方の変更を通知する情報を表示してもよい。本変形例のインターホンシステム１０では、例えば、上記所定回数のキー操作が５回以上になって入力された場合に、表示部６３に所定回数の変更を通知する情報が表示される。この表示に基づき、居住者が所定回数を今の回数よりも少ない回数に変更することで、居住者は自身の防犯に関する不安を少なくすることができる。
【０１１８】
本実施の形態の変形例に係るインターホンシステム１０は、インターホン玄関装置２０のキー操作に関連する入力情報ｉ１を取得する取得部３０と、インターホン親機６０ａ〜６０ｃを呼び出すためのキー操作に関連する入力情報ｉ１を取得部３０が所定時間内に所定回数以上取得した場合に、当該入力情報ｉ１に基づいた報告情報ｉ２を出力する出力部４０とを備える。
【０１１９】
このように、当該入力情報ｉ１に基づいた報告情報ｉ２が出力されることで、居住者は、インターホン玄関装置２０に対して複数回にわたるキー操作が行われたか否かを知ることができる。すなわち、変形例のインターホンシステム１０によれば、身の回りの防犯に関する情報を知らせることができる。
【０１２０】
また、本変形例に係る情報端末（例えばインターホン親機）６０ａ〜６０ｃは、表示部６３を備え、表示部６３は、インターホン玄関装置２０のキー操作に関連する入力情報ｉ１であって、情報端末６０ａ〜６０ｃを呼び出すために所定時間内に所定回数以上入力されたキー操作に関連する入力情報ｉ１に基づいた報告情報ｉ２を表示する。
【０１２１】
このように、上記入力情報ｉ１に基づいた報告情報ｉ２が情報端末（例えばインターホン親機）６０ａ〜６０ｃの表示部６３に表示されることで、居住者は、インターホン玄関装置２０に対して複数回にわたるキー操作が行われたか否かを知ることができる。すなわち、本変形例の情報端末６０ａ〜６０ｃの表示により、身の回りの防犯に関する情報を知らせることができる。
【０１２２】
また、インターホン玄関装置２０に情報端末６０ａ〜６０ｃを呼び出すためのキー操作が所定時間内に所定回数以上入力された場合に、情報端末６０ａ〜６０ｃの表示部６３は、所定時間および所定回数のうち少なくとも一方の変更を通知する情報を表示してもよい。
【０１２３】
この表示部６３の表示に基づいて、例えば居住者が所定時間または所定回数を変更することで、居住者は自身の防犯に関する不安を少なくすることができる。
【０１２４】
また、本変形例に係る情報表示方法は、表示部６３を備える情報端末に関する情報表示方法である。この情報表示方法は、インターホン玄関装置２０のキー操作に関連する入力情報ｉ１であって、情報端末６０ａ〜６０ｃを呼び出すために所定時間内に所定回数以上入力されたキー操作に関連する入力情報ｉ１に基づいた報告情報ｉ２を表示する。
【０１２５】
このように、上記入力情報ｉ１に基づいた報告情報ｉ２が表示されることで、居住者は、インターホン玄関装置２０に対して複数回にわたるキー操作が行われたか否かを知ることができる。すなわちこの表示により、身の回りの防犯に関する情報を知らせることができる。
【０１２６】
また、本変形例に係るプログラムは、コンピュータにて実行されるプログラムであって、上記情報表示方法を実行する。
【０１２７】
このプログラムによれば、居住者は、インターホン玄関装置２０に対して複数回にわたるキー操作が行われたか否かを知ることができる。すなわちこのプログラムにより、身の回りの防犯に関する情報を知らせることができる。
【０１２８】
（実施の形態２）
以下、実施の形態２に係るインターホンシステム１０Ａについて、図１４および図１５を参照しながら説明する。実施の形態２のインターホンシステム１０Ａは、制御装置５０を有しておらず、インターホン玄関装置２０とインターホン親機６０ａ〜６０ｃとが制御装置５０を介さずに接続されている。
【０１２９】
図１４は、実施の形態２に係るインターホンシステム１０Ａを示す模式図である。図１５は、インターホンシステム１０Ａの機能構成を示すブロック図である。
【０１３０】
インターホンシステム１０Ａは、インターホン玄関装置２０と、複数のインターホン親機６０ａ、６０ｂ、６０ｃと、複数のインターホン子機７０ａ、７０ｂ、７０ｃとを備えている。インターホンシステム１０Ａは、インターホン玄関装置２０とインターホン親機６０ａ〜６０ｃとが直接接続されている。
【０１３１】
図１４および図１５に示すように、インターホン玄関装置２０は、操作受付部２１と、撮像部２２と、センサ部２３と、表示部２４と、通話部２５と、制御部２６と、通信部２７と、記憶部２８とを備える。
【０１３２】
実施の形態２のインターホン玄関装置２０では、制御部２６が実施の形態１で示す取得部３０および出力部４０の機能を備えている。すなわち実施の形態２では、入力情報ｉ１が、制御部２６内の取得部３０に取得される。制御部２６は、入力情報ｉ１をもとに、予め決められたキー操作と異なるキー操作に関連する入力情報ｉ１を取得部３０が取得したか否かを判断する。そして、制御部２６は、上記異なるキー操作に関連する入力情報ｉ１を取得部３０が取得したと判断した場合に、出力部４０を用いて当該入力情報ｉ１に基づく報告情報ｉ２を出力する。
【０１３３】
具体的に出力部４０は、電気錠を解錠するパスワードと異なる入力情報ｉ１を取得部３０が取得した場合に、パスワードに特定番号を含む１以上の施設のインターホン親機に対して報告情報ｉ２を出力する。例えば、特定番号として１０１が含まれている場合、出力部４０は、施設１０１に対応するインターホン親機６０ａあてに報告情報ｉ２を出力する。
【０１３４】
本実施の形態に係るインターホンシステム１０Ａも、実施の形態１と同様に、インターホン玄関装置２０のキー操作に関連する入力情報ｉ１を取得する取得部３０と、予め決められたキー操作と異なるキー操作に関連する入力情報ｉ１を取得部３０が取得した場合に、当該入力情報ｉ１に基づいた報告情報ｉ２を出力する出力部４０とを備える。
【０１３５】
このように、当該入力情報ｉ１に基づいた報告情報ｉ２が出力されることで、居住者は、インターホン玄関装置２０に対して予め決められたキー操作と異なるキー操作が行われたか否かを知ることができる。すなわち、このインターホンシステム１０Ａによれば、身の回りの防犯に関する情報を知らせることができる。
【０１３６】
また、本実施の形態のインターホンシステム１０Ａでは、取得部３０および出力部４０は、インターホン玄関装置２０に設けられている。
【０１３７】
これによれば、居住者は、インターホン玄関装置２０から出力される報告情報ｉ２に基づいて、インターホン玄関装置２０に対して予め決められたキー操作と異なるキー操作が行われたか否かを知ることができる。このインターホンシステム１０Ａによれば、身の回りの防犯に関する情報を知らせることができる。
【０１３８】
（その他の実施の形態）
以上、実施の形態について説明したが、本発明は、上記実施の形態に限定されるものではない。
【０１３９】
例えば、上記に示したインターホンシステム１０の動作において、インターホン親機６０ａが行う動作は、制御装置５０に接続される監視装置８０にて行われてもよい。
【０１４０】
図１６は、その他の実施の形態に係るインターホンシステム１０Ｂを示す模式図である。図１７は、その他の実施の形態に係るインターホンシステム１０Ｂの監視装置８０を示す。
【０１４１】
監視装置８０は、集合施設の管理室に設置され、制御装置５０に接続されている。監視装置８０は、制御装置５０と通信するための通信部８１、画像を表示するための表示部８３、監視者の操作を受け付けるユーザインターフェースである入力受付部８５、および、監視装置８０の各構成要素を制御する制御部８２、および、記憶部８６などを有する。監視装置８０は、前述した情報端末の一例である。
【０１４２】
また、上記実施の形態において、特定の処理部が実行する処理を別の処理部が実行してもよい。例えば、制御装置５０によって行われる情報処理の一部または全部は、インターホンシステム１０が備える制御装置５０以外の装置またはシステム（具体的には、監視装置８０）によって行われてもよい。
【０１４３】
また、上記実施の形態では、情報端末としてインターホン親機６０ａが例示されたが、情報端末は、スマートフォンまたはタブレット端末などの携帯端末やパーソナルコンピューターであってもよい。また、情報端末は、集合施設の管理人室等に設置される管理人室親機であってもよい。
【０１４４】
また、上記実施の形態では、インターホンシステムは、集合施設Ｈ１用のシステムであったが、戸建住宅用のシステムであってもよい。
【０１４５】
また、上記実施の形態における装置間の通信方法については特に限定されるものではない。装置間では、無線通信が行われてもよいし、有線通信が行われてもよい。また、装置間では、無線通信および有線通信が組み合わされてもよい。
【０１４６】
なお、撮像部２２によって取得される画像は、動画であってもよいし、静止画であってもよい。また、画像は、文字および数字などが含まれていてもよい。
【０１４７】
また、上記実施の形態のフローチャートで説明された処理の順序は、一例である。複数の処理の順序は変更されてもよいし、複数の処理は並行して実行されてもよい。
【０１４８】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４９】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１５０】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。
【０１５１】
例えば、本発明は、上記実施の形態のインターホンシステムまたは情報端末が行う処理をコンピュータに実行させるためのプログラムとして実現されてもよい。このようなプログラムには、スマートフォンまたはタブレット端末などの携帯端末にインストールされるアプリケーションプログラムが含まれる。また、本発明は、このようなプログラムが記録されたコンピュータ読み取り可能な非一時的な記録媒体として実現されてもよい。
【０１５２】
また、上記実施の形態で説明されたインターホンシステムは、単一の装置として実現されてもよいし、複数の装置によって実現されてもよい。インターホンシステムが複数の装置によって実現される場合、上記実施の形態で説明されたインターホンシステムが備える構成要素は、複数の装置にどのように振り分けられてもよい。
【０１５３】
その他、各実施の形態に対して当業者が思いつく各種変形を施して得られる形態、または、本発明の趣旨を逸脱しない範囲で各実施の形態における構成要素および機能を任意に組み合わせることで実現される形態も本発明に含まれる。
【符号の説明】
【０１５４】
１０    インターホンシステム
２０    インターホン玄関装置
２２    撮像部
２５ａ  収音部
３０    取得部
４０    出力部
５０    制御装置
６０ａ、６０ｂ、６０ｃ  インターホン親機（情報端末）
６３    表示部
６６    記憶部
８０    監視装置（情報端末）
１０１、２０１、３０１  施設
ｉ１    入力情報
ｉ２    報告情報
【図１】
2020005149.tif 000003
【図２】
2020005149.tif 000004
【図３】
2020005149.tif 000005
【図４】
2020005149.tif 000006
【図５】
2020005149.tif 000007
【図６】
2020005149.tif 000008
【図７】
2020005149.tif 000009
【図８】
2020005149.tif 000010
【図９】
2020005149.tif 000011
【図１０】
2020005149.tif 000012
【図１１】
2020005149.tif 000013
【図１２】
2020005149.tif 000014
【図１３】
2020005149.tif 000015
【図１４】
2020005149.tif 000016
【図１５】
2020005149.tif 000017
【図１６】
2020005149.tif 000018
【図１７】
2020005149.tif 000019